(57)【要約】【課題】引き違い障子とともに使用する場合に、網戸と障子との干渉が生じることがなく、表面にラッピングシートを貼付する際にも該シートを分断する必要がない網戸を提供する。【解決手段】障子３１、３２を引き違い可能にしてなる引き違いサッシに網戸４０を備えた網戸付きサッシにおいて、網戸は上下左右の框を組み合わせた枠体の内側に網を張設して設け、左右両側の縦框４１ａ、４１ｂは表面に所定の色若しくは模様又は色および模様が施されたラッピングシートにより覆うとともに側部に延設されるパッキン４２ａ、４２ｂを略全長に亘って設け、パッキンはラッピングシートと略同一の色若しくは模様又は色および模様が表れるようにされた樹脂により形成し、パッキンの障子の縦框４３ａ、４３ｂに対向すべき面にはモヘアホール４２４を設けるとともに、該モヘアホールには障子の縦框に向けてモヘア４２５を略全長に亘って取り付ける。【選択図】　　　図３
2004116138.tif 000002
【特許請求の範囲】
【請求項１】
障子を引き違い可能にしてなる引き違いサッシに網戸を備えた網戸付きサッシであって、
前記網戸は上下左右の框を組み合わせた枠体の内側に網を張設して設けられ、
左右両側の縦框は、表面に所定の色若しくは模様又は色および模様が施されたラッピングシートにより覆われるとともに、側部に延設されるパッキンを略全長に亘って備え、
前記パッキンは、前記ラッピングシートと略同一の色若しくは模様又は色および模様が表れるようにされた樹脂により形成され、
前記パッキンの、前記障子の縦框に対向すべき面には、モヘアホールが設けられるとともに、該モヘアホールには前記障子の縦框に向けてモヘアが略全長に亘って取り付けられている網戸付きサッシ。
【発明の詳細な説明】
【０００１】
【発明の属する技術分野】
本発明は、引き違い障子に好適に用いられる網戸付きサッシに関する。
【０００２】
【従来の技術】
建物の玄関などの開口部には、扉式の開閉装置とともに一部では引き違い式の開閉装置（障子）が根強い人気を保っている。このような引き違い障子が使用される建物開口部は一般に上下左右の四辺に枠を配した外枠が備えられ、その下枠には２本のレールが設けられて、このレール上を２枚の引き違い障子を往き来させて、開口部の開閉を実現している。かかる引き違い式障子は、玄関などに使用されることが多く、夏場は通風を確保しつつ蚊やハエなどが室内に侵入するのを防ぐため、網戸が併用される場合がある。
【０００３】
このように引き違い障子に網戸を例えば室内側に設けた場合、構造上、網戸と内障子との間に僅かな隙間が生じるので、この隙間から蚊やハエなどが室内へ侵入するのを防ぐため、網戸の縦框と内障子の縦框とが対向すべき面には、シールが必要となる。
【０００４】
上記要請に対し、特許文献１では、網戸の縦框側部にパッキン部材を設け、該パッキン部材から内障子に向けて柔軟な材料で形成した縦長平板状の防虫シールを延設する構造が開示されている。かかる構造を有するパッキン部材を引き違い障子の網戸に適用した一例を図６、および図７に示す。各図は、召し合わせ部の高さにおける水平断面図であり、上方が室外側、下方が室内側を示す。なお、本願の各断面図においては、図面を見やすく、理解を容易なものとするため、拡大図におけるパッキン部材の断面のみにハッチングを付し、他の断面はハッチングを省略して表す。
【０００５】
図６において、外障子６１の左側面は、外枠サッシの左縦枠１００に当接しており、内障子６２の右側面は、外枠サッシの右縦枠１０１に当接している。ここでは、引き違い障子は閉鎖された状態にある。外枠サッシの下枠には、レール６５、６６が設けられており、外障子６１および内障子６２はレール６５、６６上を外枠サッシ左右の縦枠１００、１０１に当接するまで図の左右方向に移動することができる。
【０００６】
網戸７０は、内障子６２の室内側に、外枠サッシに組み付けられている。網戸７０も、不図示の滑走機構によりレール６５、６６と平行な方向に、外枠サッシ左右の縦枠１００、１０１に当接するまで移動することができる。網戸７０の左右の縦框７１ａ、７１ｂのさらに両側方にはパッキン部材７２ａ、７２ｂが嵌め込まれて取り付けられている。さらにパッキン部材７２ａ、７２ｂからは、室外側に向けて平板状の防虫シール７３ａ、７３ｂが延設され、これら防虫シール７３ａ、７３ｂの先端部は内障子６２の縦框６３ａ、６３ｂの室内側の面に当接されている。
【０００７】
この状態において、内障子６２を図の左方向に外枠サッシの左縦枠１００に当接するまで移動すると、障子は開かれ、網戸７０は閉じているので、室内外は網戸７０を介して通風可能な状態となる。このとき、網戸７０左側の防虫シール７３ａの先端は、内障子６２の右縦框６３ｂの室内側に向く面に当接されるので、室内外の完全なシールが行われ、ハエや蚊が室内に侵入することが防止される。
【０００８】
また、特許文献２〜４では、網戸の縦框が内障子の縦框に対向する面に、モヘアホールを設け、該モヘアホールにモヘアを内障子に向けて取り付けて、網戸と内障子との隙間からハエや蚊が侵入するのを防止する構造が開示されている。
【特許文献１】
実開昭５３−１４９４４４公報
【特許文献２】
特開２００１−２０７７３７号公報
【特許文献３】
実開平６−８３８９６号公報
【特許文献４】
登録実用新案第３０１１４６１号公報
【０００９】
【発明が解決しようとする課題】
しかし、特許文献１に開示された防虫シールの構造では、図６、図７からも明らかなように、内障子６２の召し合わせ錠台座６４ａ、および、戸先錠の台座６４ｂが室内側に突出しているため、例えば、図７に示される内障子６２と網戸７０とが外枠サッシの左縦枠１００に当接されている状態から、網戸７０を右方向に移動させようとした場合、上記防虫シール７３ａ、７３ｂの先端部分と、内障子６２の錠台座６４ａ、６４ｂとが干渉し、内障子６２も一緒に右方向に引きずられて移動してしまい、また、逆に内障子６２を移動しようとするとそれに引きずられて網戸７０も移動してしまう、という問題があった。
【００１０】
また、特許文献２〜４に開示されたモヘアを利用する構造では、上記のような網戸の防虫シールと、内障子の錠台座との干渉による問題は解決されるものの、図８に一例を示すように、網戸の縦框８０がモヘアホール８１により左右に分断されるため、網戸縦框の室内側表面に例えば木目模様のラッピングシート８２を貼り付けようとする場合、シートを切断して２枚のシート８２ａ、８２ｂを貼り付ける作業が必要になる（図８（ａ）〜（ｃ）参照）という問題もあった。
【００１１】
そこで、本発明は、引き違い障子とともに使用する場合に、網戸と障子との干渉が生じることがなく、表面にラッピングシートを貼付する際にも該シートを分断する必要がない網戸付きサッシを提供することを課題とする。
【００１２】
【課題を解決するための手段】
本願発明者らは、上記課題解決のためには、何らかの形でモヘアを使用することが不可欠であると考えた。特許文献１に開示されているような防虫シールでは防虫効果を確保しつつ、干渉の問題を完全に解決することはできないと考えられるからである。そこでまず、特許文献１の構造において、防虫シールを単純にモヘアに置き換えれば、干渉の問題を回避しつつ、ラッピングシートを分断する必要がなくなるものと考えられる。しかし、特許文献１に開示されているような構造のパッキン部材では、図６または図７の拡大図から明らかなとおり、モヘアホールを設けるための左右方向の幅がほとんどないため、モヘアを内障子方向に向けて取り付けることが不可能である。一方、パッキン部材の構造を、モヘアホールを設けることができるように変更することも考えられるが、この場合、モヘアホールを設ける分だけ左右のパッキン部材が網戸幅方向に延長される。
【００１３】
この幅方向に延長されたパッキン部材において、モヘアホールが設けられた部分を除く、室内側に面する面、および端面の部分は網戸の框に張られるラッピングシートと異なる外観を呈すると、この網戸および障子が組み込まれた引き違いサッシ全体に違和感を生じることがある。本願発明者らは、パッキン部材の外観にラッピングシートの外観と統一性を持たせることにより、上記課題を解決することが可能であることを見出した。
【００１４】
以下、本発明について具体的に説明する。なお、本発明の理解を容易にするために添付図面の参照符号を括弧書きにて付記するが、それにより本発明が図示の形態に限定されるものではない。
【００１５】
請求項１の発明は、障子（３１、３２）を引き違い可能にしてなる引き違いサッシ（１０）に網戸（４０）を備えた網戸付きサッシであって、網戸は上下左右の框（２１、２３、４１ａ、４１ｂ）を組み合わせた枠体の内側に網（２９）を張設して設けられ、左右両側の縦框（４１ａ、４１ｂ）は表面に所定の色若しくは模様又は色および模様（以下において「色等」という。）が施されたラッピングシートにより覆われるとともに側部に延設されるパッキン（４２ａ、４２ｂ）を略全長に亘って備え、パッキンはラッピングシートと略同一の色若しくは模様又は色および模様が表れるようにされた樹脂により形成され、パッキンの障子の縦框（４３ａ、４３ｂ）に対向すべき面にはモヘアホール（４２４）が設けられるとともに、該モヘアホールには障子の縦框に向けてモヘア（４２５）が略全長に亘って取り付けられている網戸付きサッシにより前記課題を解決する。
【００１６】
この発明によれば、網戸両側部に取り付けられたパッキンは網戸縦框のさらに外側に延設されているので、障子に対向する面にモヘアホールを設けるためのスペースを確保することが可能となる。また、このパッキンの障子に対向すべき面にモヘアが取り付けられているので、網戸と障子との干渉が生じることがなく、また表面にラッピングシートを貼付する際にも該シートを分断する必要がない。またパッキンは網戸本体を覆うラッピングシートと略同一の色等が表面に現れるように形成されているので、網戸全体の外観を統一することにより、意匠上の効果を高めることができる。また、パッキンは樹脂で形成されるので、表面に所定の色等を形成することが容易である。このパッキンは、図６および図７に示すような従来の網戸枠体にも交換用として使用することが可能である。
【００１７】
上記網戸付きサッシにおいて、障子の幅をＷ、障子の縦框の幅ｗとしたとき、モヘア間の距離Ｘが
Ｗ−ｗ≦Ｘ≦Ｗ−ｗ／３
となるように横框の長さを調整してもよい。
【００１８】
このようにすれば、パッキンが網戸縦框の側部より幅方向に突出する長さに応じて横框の長さを調整することにより、網戸と障子が重なった状態においても確実に、障子の召し合わせ部、または引き手を室内側に露出させることができる。また、左右のモヘア間の距離を一定範囲に保つことができるので、網戸の使用状態において各モヘア先端部を確実に障子の縦框に当接する位置に配置することが容易となり、ハエや蚊の室内への進入を防止することができる。また、従来と同一形状の押し出しおよび加工用金型を使用することができるのでコスト的にも有利である。さらに例えば特許文献１〜４の構造に比較した場合、横框の長さを切り詰めた分だけ網戸の枠体に占めるアルミニウムの重量を減らすことができるので、材料のコストダウンに資することが可能となる。
【００１９】
本発明のこのような作用及び利得は、次に説明する実施の形態から明らかにされる。
【００２０】
【発明の実施の形態】
以下本発明の網戸を玄関の引き違い障子に適用した例を図面に示す実施形態に基づき説明する。本実施形態において、網戸は障子の室内側に配置されている。
【００２１】
図１（ａ）は玄関障子を閉めた状態を室外側から示す図である。ここでは、内障子３２が左側に、外障子３１が右側にそれぞれ示されており、網戸はあらわれていない。図１（ｂ）は玄関障子を閉めた状態を室内側からの視点により示す図である。外障子３１は左側に表され、網戸４０が右側に表されている。この状態においては、内障子３２は網戸４０の奥側にあるため、内障子３２の左縦框４３ａのみ網戸４０の左側に表れており、その余の部分は網戸４０の網を透かして室内側から見ることができる。図１（ｃ）は内障子３２を開け、網戸４０を閉めた状態を室内側から示す図である。この状態においては内障子３２が左側にあり、網戸４０が右側にある。外障子３１は内障子３２の奥に隠れて室内側からは見ることができない。
【００２２】
図１（ａ）において、玄関開口部の開口周囲には矩形の外枠サッシ１０があてがわれている。内障子３２の縦框４３ｂ中央やや下方には、引き手５が形成され、不図示の戸先錠が設けられている。外障子３１の、図１（ａ）における左側の縦框４４ｂには召し合わせ部６が形成され、不図示の召し合わせ錠が設けられている。外障子３１の図１（ａ）における右側の縦框４４ａ中央やや下方には、引き手７が設けられている。引き手７にも不図示の戸先錠が設けられている。なお、図１（ａ）の視点からは表すことができないが、外障子３１、内障子３２のそれぞれの縦框４３ａ、４３ｂ、４４ａ、および、４４ｂには、室内側および室外側それぞれの所定位置に召し合わせ、および引き手が設けられている（図１（ｂ）、および図１（ｃ）参照）。
【００２３】
図２（ａ）は網戸の枠等構成部材を分解して示す図、（ｂ）は網戸の組み立てを示す図である。図２（ａ）において、網戸は上框２１、中框２２、および下框２３の３本の横框と、下框２３の下側から嵌入される下部カバー２４と、左縦框４１ａ、右縦框４１ｂ、および左右の縦框の側部に取り付けられるパッキン４２ａ、４２ｂとを備え、これらが組み立てられて網戸の枠体を構成する。図２（ｂ）において、組み立てられた網戸の枠体に網２９が載せられ、その上から網押し棒２８を枠体に設けられた溝部２７に押し込むことにより網２９が枠体に固定される。この状態において、溝部２７周辺に沿って網２９をカッター等で切断することにより、網戸が完成する。
【００２４】
図３は、閉めた状態の玄関障子および網戸を、玄関障子の召し合わせ部の高さで水平断面として表した図である。外障子３１の左端面は、外枠サッシの左縦枠１００に当接されており、一方内障子３２の右端面は、外枠サッシの右縦枠１０１に当接されている。図３においては、外障子３１、および内障子３２が上記のように配置され、引き違い障子は閉鎖された状態にある。外枠サッシの下枠には、レール３５、３６が設けられており、外障子３１および内障子３２はレール３５、３６上を外枠サッシ左右の縦枠１００、１０１に当接するまで図の左右方向に移動されることができる。
【００２５】
網戸４０は、内障子３２のさらに室内側に設けられている。網戸４０も、不図示の滑走機構によりレール３５、３６と平行な方向に、外枠サッシ左右の縦枠１００、１０１に当接するまで移動されることができる。網戸４０の左右の縦框４１ａ、４１ｂのさらに側方にはパッキン４２ａ、４２ｂが嵌め込まれ取り付けられている。ここでパッキン４２ａ（４２ｂ）の構造について、図３の下部に示されるＡ部拡大図を参照しつつ説明する。網戸４０の左縦框４１ａの左側方には二つの突出部４１０、４１１が設けられている。パッキン４２ａは、これらの突出部４１０、４１１に嵌入する嵌合部４２０ａ、および４２１ａを備え、さらにこれらの嵌合部４２０ａ、および４２１ａの側方からそれぞれ図で左の方向にアーム４２０、４２１が延設されている。アーム４２０、４２１の各先端は連結片４２３により結ばれている。アーム４２０の内障子３２に対向する側には、モヘアホール４２４が形成されている。モヘアホール４２４内にはモヘア４２５が接着固定されている。モヘア４２５は、ポリプロピレン等比較的柔軟な合成樹脂で形成されたベース４２５ａの上面に多数のナイロン等からなる毛状部材４２５ｂが植え込まれて形成されている。毛状部材４２５ｂの先端は内障子３２の左縦框４３ａ室内側面に当接されている。室内側のアーム４２１の先端には突出片４２６が設けられている。突出片４２６は、外枠サッシや網戸４０の枠体の建付け調整が悪くなった場合にその変形分を緩衝する機能を有している。
【００２６】
以上に説明したように、網戸４０の両翼部に取り付けられたパッキン４２ａ、４２ｂにモヘアホール４２４を設けたので、網戸表面にラッピングシートを貼付する際に、ラッピングシートを分断する必要がない。
【００２７】
この状態において、内障子３２を図の左方向に外枠サッシの左縦枠１００に当接するまで移動すると、室内外は網戸４０を介して通風可能な状態となる。このとき、網戸４０左側のモヘア４２５の先端は、内障子３２の右縦框４３ｂの室内側面に当接されるので、室内外の完全なシールが行われ、ハエや蚊が室内に侵入するのを防止することができる。
【００２８】
図４は、外障子３１、内障子３２、及び網戸４０を全て外枠サッシの左縦枠１００側に寄せた場合の玄関障子および網戸を、玄関障子の召し合わせ部の高さで水平断面として表した図である。内障子３２の召し合わせ錠台座３４ａ、および、戸先錠の台座３４ｂが縦框４３ａ、４３ｂの室内側の面から室内側に向かって突出している。
【００２９】
図４に示される内障子３２と網戸４０とが外枠サッシの左縦枠１００に当接されている状態から、網戸４０を右方向に移動させようとした場合、モヘア４２５の先端部分と、内障子３２の錠台座３４ａ、３４ｂとが干渉する。しかしモヘア４２５の毛状部材４２５ｂは、その材料自体がナイロン等で形成されているため柔軟性、弾性に富んでいる。さらに、モヘア４２５の毛状部材４２５ｂは、ベース４２５ａに取り付けられている部分のみが固定端であり、先端側は全て自由端とされているので、横方向からの力に対し、大きな抵抗を示すことなく容易に屈曲される。したがって、図４に示す状態から、網戸４０を右方向に移動させて、モヘア４２５の先端部分と、内障子３２の錠台座３４ａ、３４ｂとが干渉する状態が発生しても、内障子３２に網戸４０からの力が伝わることがなく、内障子３２が網戸４０と一緒に右方向に引きずられて移動してしまうことがない。また、逆に内障子３２を移動しても、それに引きずられて網戸４０も移動されてしまう、ということもない。
【００３０】
図５は、玄関障子および網戸の、水平方向の長さの関係を説明する室内側から見た正面図である。この図では、内障子３２および外障子３１が左側に寄せられて玄関障子が開放された状態を示しているが、外障子３１が右側に寄せられた状態も鎖線により示されている。玄関障子の内障子３２、および外障子３１は正面視において同一形状に形成されている。意匠の美感上、それぞれの障子を左右対称形状とし、玄関障子として外枠サッシ１０に組み付けた場合にも、正面視左右対称とすることが行われている。各障子の縦框それぞれには、同じ高さに召し合わせ部と引き手部とが設けられている。この場合、各障子の幅Ｗは統一されている。また、各障子における縦框の幅ｗも一定に設定されている。
【００３１】
網戸４０の両翼に取り付けられたパッキン４２ａの突出片４２６の長さ、および連結片４２３の厚さは、Ｗおよびｗと比較した場合充分に小さいのでここでは無視し、モヘアは網戸４０の左右両端にあるものとして考えることとする。玄関障子を図５の位置に開放し、網戸４０を外枠サッシの右縦枠１０１に当接した状態において、網戸４０のモヘア先端を内障子３２の縦框４３ｂに確実に当接させて虫類の室内への侵入を防ぐには、網戸４０のモヘア間の距離Ｘを、（Ｗ−ｗ）以上に設定する必要がある。これは、図５において、網戸の右側面を、外枠サッシの右縦枠１０１に当接させた状態において、網戸の左端部室外側に向けられたモヘアの先端が、内障子３２の右縦框４３ｂの右端に接する状態を意味するものである。また、モヘア間の距離Ｘがとりうる最大値はＷである。Ｘをこれ以上にすると、網戸の右側面を、外枠サッシの右縦枠１０１に当接させた状態において、網戸の左端部室外側に向けられたモヘアの先端が、内障子３２の右縦框４３ｂの左端を越えてしまい、モヘア先端と内障子３２との間に隙間が生じてしまうからである。
【００３２】
本実施形態の網戸付きサッシにおいて、モヘア間の距離Ｘの上限は（Ｗ−ｗ／３）とすることが望ましい。これよりＸを大きくすると、玄関障子に対して網戸４０が必要以上に大きくなりすぎて、障子と網戸とを重ねた際に障子の召し合わせまたは引き手が網戸に隠されてしまうからである。またこのような上限を設けることにより、アルミニウム材料使用量を節約することができ、コストダウンに資することが可能となる。なお、上記モヘア間の距離Ｘは、各モヘアの幅方向中心間の距離をいうものとする。また、各障子の縦框の幅ｗが異なる場合には、各框の幅の平均値をもってｗを定めることとする。
【００３３】
本実施形態において、網戸の框にはラッピングシートが貼付される。このラッピングシートに表された色等と同一の色等をパッキン表面に表すことが好ましい。パッキンを樹脂で形成する場合、容易にラッピングシートに表された色等と同一の色等を表すことができる。このようにすれば、網戸本体とパッキンとの意匠上の統一を図ることができ、網戸に高級感を与えることができる。
【００３４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う網戸付きサッシもまた本発明の技術的範囲に包含されるものとして理解されなければならない。例えば、以下に示す変形例は、当然に本願発明の技術的範囲に含まれるものである。
【００３５】
（変形例）
＜１＞　本実施形態において、網戸の框にラッピングシートが貼付され、このラッピングシートに表された色等と同一の色等をパッキン表面に表すことを説明したが、障子の部分にも同一の色等を施して外観の統一性を確保することが好ましい。このようにすれば、網戸付きサッシ全体に高級感を与え、商品価値を高めることができる。
＜２＞　引き違い障子として、玄関引き戸の例を示したが、縁側、窓など、建物開口部に設けられた引き違い障子であればいずれにおいても本発明の網戸付きサッシを適用可能である。
【００３６】
【発明の効果】
以上に説明したように、請求項１の発明によれば、網戸縦框の両側部にパッキンが延設されているので、障子に対向する面にモヘアホールを設けるためのスペースを確保することが可能となる。また、このパッキンの障子に対向すべき面にモヘアが取り付けられているので、例えば、網戸を開くときに同時に障子が動いてしまうということが生じることがなく、また表面にラッピングシートを貼付する際にも該シートを分断する必要がない。
【図面の簡単な説明】
【図１】（ａ）は玄関障子を閉めた状態を室外側から示す正面図、（ｂ）は玄関障子を閉めた状態を室内側から示す正面図、（ｃ）は玄関障子を開け、網戸を閉めた状態を室内側から示す正面図である。
【図２】（ａ）は網戸の枠等構成部材を分解して示す図、（ｂ）は網戸の組み立てを示す図である。
【図３】閉めた状態の玄関障子および網戸を、玄関障子の召し合わせ部の高さで水平断面として表した図である。
【図４】全て左側に寄せた場合の玄関障子および網戸を、玄関障子の召し合わせ部の高さで水平断面として表した図である。
【図５】玄関障子および網戸の、水平方向の長さの関係を説明する正面図である。
【図６】玄関障子に、従来の網戸を組み合わせたものの水平断面図である。
【図７】図６の玄関障子の外障子、内障子、および網戸を全て左側に寄せた状態の水平断面図である。
【図８】（ａ）〜（ｃ）は縦框にモヘアを取り付け、さらにラッピングシートで覆う工程を示す水平断面図である。
【符号の説明】
１０　サッシ
２１、２３　横框
３１　外障子（障子）
３２　内障子（障子）
４０　網戸
４１ａ、４１ｂ　縦框
４２ａ、４２ｂ　パッキン
４３ａ、４３ｂ　障子縦框
４２４　モヘアホール
４２５　モヘア
【図１】
2004116138.tif 000003
【図２】
2004116138.tif 000004
【図３】
2004116138.tif 000005
【図４】
2004116138.tif 000006
【図５】
2004116138.tif 000007
【図６】
2004116138.tif 000008
【図７】
2004116138.tif 000009
【図８】
2004116138.tif 000010